(57)【特許請求の範囲】
【請求項１】
吸収体を含む吸収性本体と、前記吸収性本体の外面側に設けられ、着用時に人体の腹側に位置する腹側部及び背側に位置する背側部を有するバックシートと、を備える吸収性物品において、
前記吸収性本体の幅方向の両端部にそれぞれ一端部が固定され、内側に折り返されることで上下方向に立ち上がる立ち上がり部を形成し、長手方向に延在する一対のギャザー部を備え、
前記一対のギャザー部は、
前記上下方向に伸縮可能な伸縮部と、前記伸縮部の伸長に伴い前記上下方向に延在した状態となり、前記伸縮部の収縮に伴い前記幅方向の中央側に延在した状態となる変形部と、
を備え、
前記変形部と前記吸収性本体との間にインナーパッドが挿入可能に構成されることを特徴とする吸収性物品。
【請求項２】
前記変形部の前記上下方向に延在した状態における前記上下方向の中央部は、前記上下方向の両端部より剛性が弱いことを特徴とする請求項１に記載の吸収性物品。
【請求項３】
前記一対のギャザー部を構成するギャザーシートを備え、
前記変形部は、両端部が折り返されて折り返しによる対向面がギャザーシートに接着されたシート材を備えることを特徴とする請求項１又は２に記載の吸収性物品。
【請求項４】
前記一対のギャザー部を構成するギャザーシートを備え、
前記変形部は、前記ギャザーシートの一部を複数回折り返してギャザーシート同士を接着することで形成される２つの接着部と、
前記２つの接着部の間に位置し、ギャザーシートが接着されていない非接着部と、を備えることを特徴とする請求項１又は２に記載の吸収性物品。
【請求項５】
前記変形部は、前記一対のギャザー部それぞれの両側において対称な形状に設けられていることを特徴とする請求項１〜４の何れか一項に記載の吸収性物品。
【発明の詳細な説明】
【技術分野】
【０００１】
本発明は、吸収性物品に関する。
【背景技術】
【０００２】
従来、紙おむつとして、テープ式のものやパンツタイプものが知られている。このような紙おむつを夜間等の長時間使用する場合、尿漏れを防止するために、紙おむつの立体ギャザーの間にインナーパッドを装着して使用することがある。
【０００３】
インナーパッドにおいては、紙おむつへの固定機能が付いていない場合、紙おむつとインナーパッドの間に隙間が生じ、装着時にインナーパッドがずれて尿漏れの原因となってしまう。
このため、インナーパッドを固定させる機能を備えた紙おむつが提案されている。例えば、特許文献１には、トップシートの表面に対して剥離可能に固定されたパッド連結部を備え、インナーパッドを敷くときに、パッド連結部をトップシートの表面から剥離して、インナーパッドの側部表面に連結するように構成された紙おむつが提案されている。
【先行技術文献】
【特許文献】
【０００４】
【特許文献１】特開２０１２−２４５３０４号公報
【発明の概要】
【発明が解決しようとする課題】
【０００５】
しかしながら、上記特許文献１の構成では、インナーパッドの位置を適切な位置に調整するために貼りなおす等の手間が発生し、インナーパッドの交換作業の負荷が大きいものであった。特に、高齢者や手が不自由な人にとっては、インナーパッドの交換作業は大変煩雑であって、固定機能が使用されない場合も多いのが実情であった。
【０００６】
本発明の課題は、インナーパッドを容易に固定して装着できる吸収性物品を提供することである。
【課題を解決するための手段】
【０００７】
以上の課題を解決するために、
請求項１に記載の発明は、
吸収体を含む吸収性本体と、前記吸収性本体の外面側に設けられ、着用時に人体の腹側に位置する腹側部及び背側に位置する背側部を有するバックシートと、を備える吸収性物品において、
前記吸収性本体の幅方向の両端部にそれぞれ一端部が固定され、内側に折り返されることで上下方向に立ち上がる立ち上がり部を形成し、長手方向に延在する一対のギャザー部を備え、
前記一対のギャザー部は、
前記上下方向に伸縮可能な伸縮部と、前記伸縮部の伸長に伴い前記上下方向に延在した状態となり、前記伸縮部の収縮に伴い前記幅方向の中央側に延在した状態となる変形部と、
を備え、
前記変形部と前記吸収性本体との間にインナーパッドが挿入可能に構成されることを特徴とする。
【０００８】
また、請求項２に記載の発明は、請求項１に記載の吸収性物品において、
前記変形部の前記上下方向に延在した状態における前記上下方向の中央部は、前記上下方向の両端部より剛性が弱いことを特徴とする。
【０００９】
また、請求項３に記載の発明は、請求項１又は２に記載の吸収性物品において、
前記一対のギャザー部を構成するギャザーシートを備え、
前記変形部は、両端部が折り返されて折り返しによる対向面がギャザーシートに接着されたシート材を備えることを特徴とする。
【００１０】
また、請求項４に記載の発明は、請求項１又は２に記載の吸収性物品において、
前記一対のギャザー部を構成するギャザーシートを備え、
前記変形部は、前記ギャザーシートの一部を複数回折り返してギャザーシート同士を接着することで形成される２つの接着部と、
前記２つの接着部の間に位置し、ギャザーシートが接着されていない非接着部と、を備えることを特徴とする。
【００１１】
また、請求項５に記載の発明は、請求項１〜４の何れか一項に記載の吸収性物品において、
前記変形部は、前記一対のギャザー部それぞれの両側において対称な形状に設けられていることを特徴とする。
【発明の効果】
【００１２】
本発明によれば、インナーパッドを容易に固定して装着できる吸収性物品とすることができる。
【図面の簡単な説明】
【００１３】
【図１】本発明の実施形態における紙おむつを示す斜視図である。
【図２】図１の紙おむつの展開図である。
【図３】図２のIII−III線における断面図である。
【図４】インナーパッド装着時の変形部を示す断面図である。
【図５】インナーパッド装着時の変形部を示す断面図である。
【図６】インナーパッド装着時の変形部を示す断面図である。
【図７】変形例の紙おむつを示す断面図である。
【発明を実施するための形態】
【００１４】
以下、図面を参照しつつ、本発明の実施形態である吸収性物品を詳細に説明する。但し、発明の範囲は、図示例に限定されない。
【００１５】
図１は、本実施形態における吸収性物品としてのパンツタイプの紙おむつ（以下、単に「紙おむつ」という。）を示す斜視図である。図２は、図１の紙おむつの内部側を示す展開図である。図３は、図２のIII−III線における断面図である。
なお、以下の説明において、図２のように紙おむつを展開した状態の、当該紙おむつの長手方向（前後方向）及び短手方向（左右方向）に直交する方向を上下方向とする。
また、図３においては、右側のギャザー部１０を起立させた状態で示しているが、左右のギャザー部１０、１０は対称であって、通常は、左側のギャザー部１０のように重なった状態となっている。
【００１６】
図１に示すように、紙おむつ１００は、例えば、着用時に人体の腹側に位置する腹側部Ｆ、背側に位置する背側部Ｂ、及び腹側部Ｆから背側部Ｂにかけて延在して着用時に人体の股間に位置する股間部Ｍを有するバックシート１と、バックシート１の内面に設けられた吸収性本体２と、吸収性本体２の両側部に設けられたギャザー部１０、１０と、を備えている。
【００１７】
紙おむつ１００は、バックシート１の腹側部Ｆの幅方向両端と背側部Ｂの幅方向両端とを固着して人体の脇側に位置する接合端部Ｊを形成することによって、パンツ型の形状に成形されている。
また、紙おむつ１００においては、バックシート１の腹側部Ｆと背側部Ｂとが接合端部Ｊにおいて接合されることにより、腰周り開口部Ｗと、左右一対の脚周り開口部Ｌとが形成される。
【００１８】
図２、３に示すように、バックシート１は、不織布からなる不透液性の外面シート１Ａと内面シート１Ｂとを備え、吸収性本体２の裏面側（人体への装着時における外部側）を覆う形状に形成されている。
外面シート１Ａ、内面シート１Ｂ、後述するトップシート２３、及びギャザー部１０等に用いる不織布の素材としては、天然繊維、合成繊維のいずれを用いてもよい。天然繊維の例としては、綿、セルロース（木材パルプ）、羊毛、絹等が挙げられる。また、合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
【００１９】
また、これらの繊維素材から不織布を製造する方法としては、公知の方法を適宜用いることができ、例えば、ケミカルボンド、サーマルボンド、スパンレース等のいずれの方法を用いてもよい。また合成繊維素材等では、スパンボンド法、メルトブロー法、またこれらと上記の接着方法を組み合わせるなど、いずれの方法を用いて製造してもよい。
【００２０】
また、バックシート１における外面シート１Ａと内面シート１Ｂとの間には、複数本の糸ゴム等の弾性部材３が挟み込まれ固着されている。
弾性部材３は、バックシート１における腰周り開口部Ｗと左右一対の脚周り開口部Ｌに相当する部分に設けられており、紙おむつ１００の使用時に、この弾性部材３によって人体の腰周り及び脚周りで紙おむつ１００が伸縮するようになっている。
【００２１】
吸収性本体２は、バックシート１の腹側部Ｆから股間部Ｍを通って背側部Ｂ側に亘る長さに形成されており、バックシート１の内面に設けられている。
【００２２】
吸収性本体２は、紙おむつ１００の使用時に体液としての尿等の水様成分を吸収するものである。
図３に示すように、吸収性本体２は、例えば、綿やパルプ等の吸収性素材や、繊維或いはフィルム等のシート状基材と高吸水性樹脂（ＳＡＰ；Super Absorbent Polymer）とが組み合わされて形成された吸収体２０と、この吸収体２０を包み込む透液性のクレープ紙２１と、吸収体２０の裏面側を覆う遮水性を有する防水フィルム２２と、吸収体２０の表面側（人体側）を覆う透液性を有するトップシート２３等により構成されている。
この吸収性本体２は、防水フィルム２２の外面がバックシート１の内面に接着されることで、バックシート１に固定されている。
【００２３】
ギャザー部１０、１０は、紙おむつ１００のトップシート２３側において、吸収性本体２の両側部を長手方向（前後方向）に延在するように左右対称に設けられている。
このギャザー部１０、１０により、体液が吸収体２０で吸収される前に紙おむつ１００の外側に溢れ出るのが堰き止められ、吸収体２０に向けて押し戻される。
【００２４】
本実施形態のギャザー部１０は、例えば、上方に起立可能な先端部１１及びバックシート１側に固定される固定部１２を備えるギャザーシート１０Ａと、先端部１１と固定部１２の間に配設された伸縮部１３と、伸縮部１３の伸縮に伴って変形する変形部１４と、を備えて構成される。
【００２５】
先端部１１は、例えば、不透液性の不織布のシートを二つ折りにし、折り合わされた面を、例えば、ホットメルトや、ヒートシール、超音波シール等により固着させることにより形成されている。そして、その不織布シートが折り合わされた面の間に、複数本の長手方向に延在する弾性部材１１ａが挟み込まれて固着されている。
ギャザー部１０が紙おむつ１００に固着された状態において、この先端部１１が上方に起立することにより立体ギャザーが形成される。また、先端部１１の弾性部材１１ａにより、ギャザー部１０は人体に合わせて伸縮自在に変形し、人体にフィットしやすい構造となっている。
【００２６】
固定部１２は、例えば、不透液性の二枚の不織布のシートを重ね合わせ、重ね合わせた面を、例えば、ホットメルトや、ヒートシール、超音波シール等により固着させることにより形成されている。
固定部１２の一端部が、トップシート２３と内面シート１Ｂとの間に挟まれるように固着されることで、ギャザー部１０が吸収性本体２の側部に固定される。
また、固定部１２の他端部は、上方に立ち上がるように折り曲げられ、これにより立体的な立ち上がりの起点である立ち上がり部１２ａが形成されている。
【００２７】
伸縮部１３は、例えば、糸ゴム、弾性フィルム、または弾性フィルムをシート層で挟んだ弾性伸縮シート等の弾性部材などが用いられ、長手方向の所定間隔毎に、上下方向に延在するように設けられている。
伸縮部１３の上端部は先端部１１に固定され、伸縮部１３の下端部は固定部１２に固定されることで、上下方向に伸縮可能に延在している。
【００２８】
変形部１４は、両端部が折り返されて折り返しによる対向面が接着されたシート材１４１、１４１を備えている。
シート材１４１、１４１は、ギャザー部１０の両側において対称な形状となるように形成されている（図３の右側のギャザー部１０参照）。即ち、変形部１４は、一対のギャザー部１０、１０それぞれの両側において対称な形状に設けられている。
【００２９】
各シート材１４１は、例えば、不透液性の不織布であって、両端部１４１ａ、１４１ａは折り返されて、例えば、ホットメルトや、ヒートシール、超音波シール等により接着されている。
これにより、シート材１４１の両端部１４１ａ、１４１ａは、シート材１４１が重ねられて接着されることで剛度が高まることとなる。また、シート材１４１の中央部１４１ｂは、両端部１４１ａ、１４１ａより薄くて剛度が低く、シート材１４１が折り曲げられる際の基点となる。
【００３０】
また、シート材１４１は、その全長（折り曲げないときの全長）が、伸縮部１３の全長（引っ張り力を加えないときの全長）よりも２〜５倍程度長くなるように設定されている。
【００３１】
このようなシート材１４１は、その上下の両端部１４１ａ、１４１ａが、先端部１１の下端及び固定部１２の他端にそれぞれ固定され、伸縮部１３の伸縮に伴って変形するようになっている。
即ち、伸縮部１３が収縮した状態（引っ張り力が加えられていない状態）においては、その中央部１４１ｂが折り曲げられて幅方向に延在する形状となり、伸縮部１３が伸長した状態（引っ張り力が加えられた状態）においては、その中央部１４１ｂが伸ばされて上下方向に延在した形状に変形することとなる。
【００３２】
次に、紙おむつ１００へのインナーパッドＰの装着手順等について説明する。
図４〜図６は、図２のIII−III線における断面図であって、インナーパッドＰの装着時のギャザー部１０、１０の状態を説明するための図である。
【００３３】
なお、通常、ギャザー部１０、１０は伸縮部１３が収縮状態となっているため、通常状態において、変形部１４は、図３の左側のギャザー部１０で示すように、幅方向に延在した形状である。
【００３４】
インナーパッドＰを装着する場合、使用者又は介護者は、ギャザー部１０、１０を上方に引っ張る動作を行う。
これにより、図４に示すように、伸縮部１３が伸長することで、変形部１４のシート材１４１が徐々に引き伸ばされ、最終的に、図５に示すように、上下方向に延在した形状となる。
このように変形部１４のシート材１４１の形状が変形することで、吸収性本体２上の両側部に空間Ｓが形成され、インナーパッドＰを吸収性本体２上に載置し易くなる。
【００３５】
そして、使用者又は介護者は、インナーパッドＰを吸収性本体２上に載置した後、上方に引っ張っていたギャザー部１０、１０を離す動作を行う。
これにより、図６に示すように、伸縮部１３が収縮することで、変形部１４のシート材１４１が元の形状、即ち、幅方向に延在した形状となる。
このように変形部１４のシート材１４１の形状が変形することで、吸収性本体２上に載置されたインナーパッドＰの両側部がシート材１４１により抑えられた状態となる。
このとき、変形部１４のシート材１４１の重みにより、インナーパッドＰが吸収性本体２上に押し付けられるので、インナーパッドＰがずれるのが防止できることとなる。
また、変形部１４のシート材１４１が元の形状に戻る際、シート材１４１の中央部１４１ｂには、両端部１４１ａ、１４１ａより剛度の低い領域が形成されているため、中央部１４１ｂから折り曲り易く、シート材１４１が元の形状に戻り易くなっている。これにより、インナーパッドＰを繰り返し交換しても、変形部１４がインナーパッドＰを上方から抑える力を一定に維持することができる。
【００３６】
なお、上記の説明においては、インナーパッドＰの紙おむつ１００への装着において使用者等がギャザー部１０、１０を上方に引っ張る動作を行うこととして説明したが、使用者が紙おむつ１００を穿いた状態においてインナーパッドＰを新しく入れたり、交換したりする場合には、図１に示した状態の紙おむつ１００の股間部Ｍを人体から離す方向に引っ張る動作が行われることで、即ち、下方に掛かる力により、ギャザー部１０、１０が先端部１１の先端を起点として起立した状態となり、変形部１４のシート材１４１は、図４、図５に示したように変形して空間Ｓが形成され、図６に示したようにインナーパッドＰを装着することが可能である。
【００３７】
以上のように、本実施形態によれば、吸収体２０を含む吸収性本体２と、吸収性本体２の外面側に設けられ、着用時に人体の腹側に位置する腹側部及び背側に位置する背側部を有するバックシート１と、を備える紙おむつ１００において、吸収性本体２の幅方向の両端部にそれぞれ一端部が固定され、内側に折り返されることで上下方向に立ち上がる立ち上がり部１２ａを形成し、長手方向に延在する一対のギャザー部１０、１０を備え、一対のギャザー部１０、１０は、上下方向に伸縮可能な伸縮部１３と、伸縮部１３の伸長に伴い上下方向に延在した状態となり、伸縮部１３の収縮に伴い幅方向の中央部側に延在した状態となる変形部１４と、を備え、変形部１４と吸収性本体２との間にインナーパッドＰが挿入可能に構成される。
このため、一対のギャザー部１０、１０を上方に引っ張るだけで変形部１４が変形してインナーパッドＰを装着する空間Ｓが形成され、インナーパッドＰを吸収性本体２上に載置した状態で引っ張っている一対のギャザー部１０、１０を離すと、変形部１４が再度変形してインナーパッドＰを上方から抑えることとなる。
よって、インナーパッドＰを容易に固定して装着できる。
【００３８】
また、本実施形態によれば、変形部１４の上下方向に延在した状態における上下方向の中央部１４１ｂは、上下方向の両端部１４１ａ、１４１ａより剛性が弱い。
このため、変形部１４が変形する際に剛性の弱い上下方向の中央部１４１ｂが折り曲げられることとなり、変形部１４が幅方向に延在した状態となった場合の形状を任意の形状にすることができる。これにより、インナーパッドＰを繰り返し交換しても、変形部１４がインナーパッドＰを上方から抑える力を一定に維持することができる。
【００３９】
また、本実施形態によれば、一対のギャザー部１０、１０を形成するギャザーシート１０Ａを備え、変形部１４は、両端部が折り返されて折り返しによる対向面がギャザーシート１０Ａに接着されたシート材１４１を備える。
このため、両端部を折り返しその折り返しによる対向面を接着したシート材１４１を、一対のギャザー部１０、１０を形成するギャザーシート１０Ａに接着するだけなので、製造が容易である。
【００４０】
また、本実施形態によれば、変形部１４は、一対のギャザー部１０、１０それぞれの両側において対称な形状に設けられている。
このため、ギャザー部１０の両側に均一な力が加えられることとなり、繰り返しの使用に際して変形部１４の形状が崩れるのを防止することができる。
【００４１】
なお、上記実施形態においては、変形部１４に剛性の高い部分と剛性の低い部分が形成されている構成を例示して説明したが、変形部１４は、全域に亘って同一の剛性であっても良い。例えば、変形部１４を全体としてある程度剛性の高いシート材等で形成した場合、その中央部に折り線を設けることで、所望の形状に変形させることとしても良い。
【００４２】
また、上記実施形態においては、変形部１４をギャザーシート１０Ａと別体のシート材１４１とする構成を例示して説明したが、変形部１４は、ギャザーシート１０Ａと一体に構成されることとしても良い。
この場合、例えば、図７に示すように、ギャザーシート１０Ａの一部を複数回折り返してギャザーシート１０Ａ同士を接着することで形成される２つの接着部１４２ａ、１４２ａを設けて剛性の高い部分を形成し、２つの接着部１４２ａ、１４２ａの間に、接着されていない非接着部１４２ｂを備える構成とすることができる。
なお、剛性の高い部分を形成するためには、これ以外にも、剛性を高めたい部分に、シート材を貼りつける等の構成であっても良い。
また、変形部１４とギャザーシート１０Ａを一体とした場合にも、変形部１４を全域に亘って同一の剛性とする構成としても良い。
【００４３】
また、上記実施形態においては、変形部１４は、一対のギャザー部１０、１０それぞれの両側に対称な形状に設けられている構成を例示して説明したが、ギャザー部１０の外側の側部は、ギャザー部１０の上下の動きを邪魔しない形状であれば、対称な形状でなくとも良い。
【００４４】
また、上記実施形態においては、パンツ型使い捨ておむつを例示して説明したが、パンツ型使い捨ておむつの代わりに止着式紙おむつであっても良い。
【符号の説明】
【００４５】
１００  紙おむつ（吸収性物品）
１  バックシート
１Ａ  外面シート
１Ｂ  内面シート
２  吸収性本体
２０  吸収体
２１  クレープ紙
２２  防水フィルム
２３  トップシート
３  弾性部材
１０  ギャザー部
１０Ａ  ギャザーシート
１１  先端部
１１ａ  弾性部材
１２  固定部
１２ａ  立ち上がり部
１３  伸縮部
１４  変形部
１４１  シート材
１４１ａ  端部
１４１ｂ  中央部
１４２ａ  接着部
１４２ｂ  非接着部
Ｐ  インナーパッド
【図１】
0006460877.tif 000002
【図２】
0006460877.tif 000003
【図３】
0006460877.tif 000004
【図４】
0006460877.tif 000005
【図５】
0006460877.tif 000006
【図６】
0006460877.tif 000007
【図７】
0006460877.tif 000008